(57)【要約】【課題】一方の通信装置に音声を入力する一方の話者と他方の通信装置に音声を入力する他方の話者とが円滑に会話をすることができる通信装置、通信システム、通信方法、および通信用プログラムを提供する。【解決手段】通信速度測定部１２が、通信相手との通信速度を、複数の通信経路のそれぞれについて測定する。状態遷移部１５が、音声が入力される音声入力手段から音声に基づく音声情報が入力される状態と、音声情報が入力されない状態との間で遷移する。情報送信部１６が、通信速度測定部１２の測定結果に基づく通信経路で、通信相手に、状態遷移部１５の状態を示す状態情報を送信する。【選択図】      図４
2016158215.tif 000002
【特許請求の範囲】
【請求項１】
通信相手との通信速度を、複数の通信経路のそれぞれについて測定する通信速度測定手段と、
音声が入力される音声入力手段から前記音声に基づく音声情報が入力される状態と、前記音声情報が入力されない状態との間で遷移する状態遷移手段と、
前記通信速度測定手段の測定結果に基づく通信経路で、前記通信相手に、前記状態遷移手段の状態を示す状態情報を送信する情報送信手段とを備えた
ことを特徴とする通信装置。
【請求項２】
前記情報送信手段は、前記状態遷移手段が前記音声に基づく音声情報が入力される状態である場合に、前記音声入力手段に入力された音声に基づく前記音声情報を前記通信相手に送信する
請求項１に記載の通信装置。
【請求項３】
表示手段が接続され、
前記通信相手から送信された状態情報を受信し、受信した前記状態情報に応じた動作を前記表示手段に指示する情報受信手段を含む
請求項１または請求項２に記載の通信装置。
【請求項４】
前記情報送信手段は、前記状態遷移手段の状態が遷移したときに、前記通信速度測定手段の測定結果に基づく通信経路で、前記通信相手に、前記状態情報を送信する
請求項１から請求項３のうちいずれかに記載の通信装置。
【請求項５】
前記情報送信手段は、前記通信速度測定手段の測定結果によって最も通信速度が速い通信経路で、前記通信相手に、前記状態情報を送信する
請求項１から請求項４のうちいずれかに記載の通信装置。
【請求項６】
請求項１から請求項５のうちいずれかに記載の通信装置と、
前記通信相手である他の通信装置とを備えた
ことを特徴とする通信システム。
【請求項７】
通信相手との通信速度を、複数の通信経路のそれぞれについて測定する通信速度測定ステップと、
前記通信速度測定ステップの測定結果に基づく通信経路で、前記通信相手に、音声が入力される音声入力手段から前記音声に基づく音声情報が入力される状態と、前記音声情報が入力されない状態との間で遷移する状態遷移手段の状態を示す状態情報を送信する情報送信ステップとを含む
ことを特徴とする通信方法。
【請求項８】
コンピュータに、
通信相手との通信速度を、複数の通信経路のそれぞれについて測定する通信速度測定処理と、
前記通信速度測定処理の測定結果に基づく通信経路で、前記通信相手に、音声が入力される音声入力手段から前記音声に基づく音声情報が入力される状態と、前記音声情報が入力されない状態との間で遷移する状態遷移手段の状態を示す状態情報を送信する情報送信処理とを実行させる
ための通信用プログラム。
【発明の詳細な説明】
【技術分野】
【０００１】
本発明は、音声信号を送受信する通信装置、通信システム、通信方法、および通信用プログラムに関する。
【背景技術】
【０００２】
通信ネットワークを介して、音声信号を送受信する通信システムがある。そのような通信システムでは、通信ネットワークを介して、通信装置が互いに接続されている。
【０００３】
そして、一方の通信装置は、音声が入力されると通信ネットワークに応じた音声情報に当該音声を変換する。そして、当該一方の通信装置は、他方の通信装置に当該音声情報を送信する。
【０００４】
他方の通信装置は、一方の通信装置によって送信された音声情報を受信した場合に、当該音声情報を音声に変換して出力する。
【０００５】
特許文献１には、一方の通信装置に接続されたマイクロフォンがミュート状態であるか否かを他方の通信装置に通知するシステムが記載されている。
【０００６】
特許文献２には、マイクロフォンに音声が入力されていることを示す情報を、当該音声に応じた音声データを含むペイロードに先行して、通信ネットワークを介して送信する方法が記載されている。
【０００７】
特許文献３には、放送局内の音声を、放送局外から通信ネットワークを介して放送局に送信された音声パケットの遅延量に応じて遅延させて、当該音声パケットに基づく音声と合成して放送するシステムが記載されている。
【先行技術文献】
【特許文献】
【０００８】
【特許文献１】特開２０１２−２５７１８４号公報
【特許文献２】特表２００４−５２７００６号公報
【特許文献３】特開２００５−１５１０８３号公報
【発明の概要】
【発明が解決しようとする課題】
【０００９】
情報を通信ネットワークを介して送受信する場合に、情報の送受信には、当該通信ネットワークの状況に応じた遅延が生じる。具体的には、一方の通信装置に音声が入力されてから、通信ネットワークの状況に応じた遅延時間の経過後に、他方の通信装置から音声が出力される。同様に、他方の通信装置に音声が入力されてから、通信ネットワークの状況に応じた遅延時間の経過後に、一方の通信装置から音声が出力される。
【００１０】
そうすると、一方の通信装置に音声を入力する一方の話者と他方の通信装置に音声を入力する他方の話者とは、会話に互いに難渋する。
【００１１】
特許文献１に記載されているシステムおよび特許文献２に記載されている方法は、マイクロフォンへの音声の入力に応じた情報の送受信に遅延が生じると、一方の通信装置に音声を入力する一方の話者と他方の通信装置に音声を入力する他方の話者とは、会話に互いに難渋する。
【００１２】
特許文献３に記載されているシステムは、放送局外からの音声と、放送局内の音声とを放送するタイミングを調整しても、放送局外の話者を放送局内の話者との会話のタイミングは調整されず、やはり、会話に互いに難渋する。
【００１３】
そこで、本発明は、一方の通信装置に音声を入力する一方の話者と他方の通信装置に音声を入力する他方の話者とが円滑に会話をすることができる通信装置、通信システム、通信方法、および通信用プログラムを提供することを目的とする。
【課題を解決するための手段】
【００１４】
本発明による通信装置は、通信相手との通信速度を、複数の通信経路のそれぞれについて測定する通信速度測定手段と、音声が入力される音声入力手段から音声に基づく音声情報が入力される状態と、音声情報が入力されない状態との間で遷移する状態遷移手段と、通信速度測定手段の測定結果に基づく通信経路で、通信相手に、状態遷移手段の状態を示す状態情報を送信する情報送信手段とを備えたことを特徴とする。
【００１５】
本発明による通信システムは、いずれかの態様の通信装置と、通信相手である他の通信装置とを備えたことを特徴とする。
【００１６】
本発明による通信方法は、通信相手との通信速度を、複数の通信経路のそれぞれについて測定する通信速度測定ステップと、通信速度測定ステップの測定結果に基づく通信経路で、通信相手に、音声が入力される音声入力手段から音声に基づく音声情報が入力される状態と、音声情報が入力されない状態との間で遷移する状態遷移手段の状態を示す状態情報を送信する情報送信ステップとを含むことを特徴とする。
【００１７】
本発明による通信用プログラムは、コンピュータに、通信相手との通信速度を、複数の通信経路のそれぞれについて測定する通信速度測定処理と、通信速度測定処理の測定結果に基づく通信経路で、通信相手に、音声が入力される音声入力手段から音声に基づく音声情報が入力される状態と、音声情報が入力されない状態との間で遷移する状態遷移手段の状態を示す状態情報を送信する情報送信処理とを実行させることを特徴とする。
【発明の効果】
【００１８】
本発明によれば、一方の通信装置に音声を入力する一方の話者と他方の通信装置に音声を入力する他方の話者とが円滑に会話をすることができる。
【図面の簡単な説明】
【００１９】
【図１】本発明の第１の実施形態の音声信号送受信システムの構成例を示すブロック図である。
【図２】本発明の第１の実施形態の音声信号送受信システムにおける通信装置がスイッチデータを送信する動作を示すフローチャートである。
【図３】本発明の第１の実施形態の音声信号送受信システムにおける通信装置がスイッチデータを受信した場合の動作を示すフローチャートである。
【図４】本発明の第２の実施形態の通信装置の構成例を示すブロック図である。
【発明を実施するための形態】
【００２０】
実施形態１．
本発明の第１の実施形態の音声信号送受信システムについて、図面を参照して説明する。図１は、本発明の第１の実施形態の音声信号送受信システムの構成例を示すブロック図である。図１に示すように、本発明の第１の実施形態の音声信号送受信システムは、一方の通信装置１００と、他方の通信装置２００とを含む。そして、通信装置１００，２００は、インターネット等のパケット通信ネットワーク３００および携帯電話通信網等の公衆電話通信ネットワーク４００にそれぞれ接続されている。なお、パケット通信ネットワーク３００および公衆電話通信ネットワーク４００を通信ネットワーク３００，４００と総称することがある。
【００２１】
通信装置１００，２００は、通信ネットワーク３００，４００を介して情報を送受信する。そして、図１に示すように、通信装置１００には、マイクロフォン１０１、表示ユニット１０２、およびスピーカ１０３が接続されている。
【００２２】
マイクロフォン１０１には、音声が入力される。そして、マイクロフォン１０１は、入力された音声を音声信号に変換して、通信装置１００に送信する。表示ユニット１０２は、通信装置１００の指示に従って動作する。スピーカ１０３は、送信された音声信号を受信して音声に変換し、出力する。なお、表示ユニット１０２は、例えば、ランプやディスプレイ等である。表示ユニット１０２がランプである場合には、表示ユニット１０２は、通信装置１００の指示に従って点灯または消灯する。表示ユニット１０２がディスプレイ等の表示手段である場合に、表示ユニット１０２は、通信装置１００の指示に応じた情報を表示する。
【００２３】
また、図１に示すように、通信装置２００には、マイクロフォン２０１、表示ユニット２０２、およびスピーカ２０３が接続されている。
【００２４】
マイクロフォン２０１には、音声が入力される。そして、マイクロフォン２０１は、入力された音声を音声信号に変換して、通信装置２００に送信する。表示ユニット２０２は、通信装置１００の指示に従って動作する。スピーカ２０３は、送信された音声信号を受信して音声に変換し、出力する。なお、表示ユニット２０２は、例えば、ランプやディスプレイ等である。表示ユニット２０２がランプである場合には、表示ユニット２０２は、通信装置１００の指示に従って点灯または消灯する。表示ユニット２０２がディスプレイ等の表示手段である場合に、表示ユニット２０２は、通信装置１００の指示に応じた情報を表示する。
【００２５】
図１に示すように、通信装置１００は、エンコーダ１１０、コントローラ１２０、メモリ１３０、デコーダ１４０、およびスイッチ１５０を含む。
【００２６】
エンコーダ１１０には、スイッチ１５０が接続されている。そして、エンコーダ１１０は、スイッチ１５０がオン状態であるのか否かを示すスイッチ情報を生成して符号化し、符号化したスイッチデータをコントローラ１２０に入力する。また、図１に示すように、エンコーダ１１０には、スイッチ１５０を介してマイクロフォン１０１が接続されている。そして、エンコーダ１１０には、スイッチ１５０がオン状態である場合に、マイクロフォン１０１から送信された音声信号が入力される。エンコーダ１１０は、入力された音声信号に所定の符号化処理を施して、当該符号化処理が施された音声データをコントローラ１２０に入力する。
【００２７】
コントローラ１２０には、情報が記憶されているメモリ１３０が接続されている。そして、コントローラ１２０は、通信装置２００との間で、通信ネットワーク３００，４００の両方について、例えば、ＲＴＴ（Ｒｏｕｎｄ  Ｔｒｉｐ  Ｔｉｍｅ）測定によって、通信装置２００との間の通信速度をそれぞれ測定する。そして、コントローラ１２０は、測定結果を示す通信速度情報をメモリ１３０に記憶させる。コントローラ１２０は、メモリ１３０に記憶されている通信速度情報に基づいて、スイッチデータおよび音声データを通信ネットワーク３００，４００のいずれかを介して通信装置２００に送信する。なお、コントローラ１２０は、音声データを通信ネットワーク３００，４００のいずれを介して通信装置２００に送信するのかを費用に基づいて決定してもよい。
【００２８】
デコーダ１４０は、通信ネットワーク３００，４００のいずれかを介して通信装置２００から送信されたデータを受信して復号する。そして、デコーダ１４０は、復号してスイッチ情報が得られた場合に、表示ユニット１０２に当該スイッチ情報に応じた指示を送信する。また、デコーダ１４０は、復号して音声信号が得られた場合に、スピーカ１０３に当該音声信号を送信する。
【００２９】
また、図１に示すように、通信装置２００は、エンコーダ２１０、コントローラ２２０、メモリ２３０、デコーダ２４０、およびスイッチ２５０を含む。
【００３０】
エンコーダ２１０には、スイッチ２５０が接続されている。そして、エンコーダ２１０は、スイッチ２５０がオン状態であるのか否かを示すスイッチ情報を生成して符号化し、符号化したスイッチデータをコントローラ２２０に入力する。また、図１に示すように、エンコーダ２１０には、スイッチ２５０を介してマイクロフォン２０１が接続されている。そして、エンコーダ２１０には、スイッチ２５０がオン状態である場合に、マイクロフォン２０１から送信された音声信号が入力される。エンコーダ２１０は、入力された音声信号に所定の符号化処理を施して、当該符号化処理が施された音声データをコントローラ２２０に入力する。
【００３１】
コントローラ２２０には、情報が記憶されているメモリ２３０が接続されている。そして、コントローラ２２０は、通信装置１００との間で、通信ネットワーク３００，４００の両方について、例えば、ＲＴＴ測定によって、通信装置１００との間の通信速度をそれぞれ測定する。そして、コントローラ２２０は、測定結果を示す通信速度情報をメモリ２３０に記憶させる。コントローラ２２０は、メモリ２３０に記憶されている通信速度情報に基づいて、スイッチデータおよび音声データを通信ネットワーク３００，４００のいずれかを介して通信装置１００に送信する。なお、コントローラ２２０は、音声データを通信ネットワーク３００，４００のいずれを介して通信装置１００に送信するのかを費用に基づいて決定してもよい。
【００３２】
デコーダ２４０は、通信ネットワーク３００，４００のいずれかを介して通信装置１００から送信されたデータを受信して復号する。そして、デコーダ２４０は、復号してスイッチ情報が得られた場合に、表示ユニット２０２に当該スイッチ情報に応じた指示を送信する。また、デコーダ２４０は、復号して音声信号が得られた場合に、スピーカ２０３に当該音声信号を送信する。
【００３３】
そして、通信装置２００における、エンコーダ２１０、コントローラ２２０、メモリ２３０、デコーダ２４０、およびスイッチ２５０は、通信装置１００における、エンコーダ１１０、コントローラ１２０、メモリ１３０、デコーダ１４０、およびスイッチ１５０とそれぞれ対応する。
【００３４】
次に、本発明の第１の実施形態の音声信号送受信システムの動作について説明する。図２は、本発明の第１の実施形態の音声信号送受信システムにおける通信装置１００がスイッチデータを送信する動作を示すフローチャートである。
【００３５】
図２に示すように、通信装置１００のエンコーダ１００は、例えば、マイクロフォン１０１に音声を入力する話者の操作によってスイッチ１５０の状態が遷移した場合に（ステップＳ１０１のＹ）、スイッチ１５０における遷移後の状態を示すスイッチ情報を生成する。そして、エンコーダ１００は、生成したスイッチ情報を符号化して、当該スイッチ情報が符号化されたデータであるスイッチデータをコントローラ１２０に入力する（ステップＳ１０２）。
【００３６】
コントローラ１２０は、スイッチデータが入力された場合に、メモリ１３０から通信速度情報を読み出す（ステップＳ１０３）。そして、コントローラ１３０は、通信速度情報に基づいて、通信ネットワーク３００，４００のいずれを介して、ステップＳ１０２の処理で入力されたスイッチデータを通信装置２００に送信するのかを決定する。具体的には、コントローラ１３０は、通信速度情報によって示されているパケット通信ネットワーク３００を介した通信速度を示す値が、公衆電話通信ネットワーク４００を介した通信速度を示す値よりも大きい場合、つまり、パケット通信ネットワーク３００が公衆電話通信ネットワーク４００よりも高速通信可能である場合に（ステップＳ１０４のＹ）、パケット通信ネットワーク３００を介してスイッチデータを通信装置２００に送信すると決定する（ステップＳ１０５）。また、コントローラ１３０は、通信速度情報によって示されているパケット通信ネットワーク３００を介した通信速度を示す値が、公衆電話通信ネットワーク４００を介した通信速度を示す値以下である場合、つまり、公衆電話通信ネットワーク４００がパケット通信ネットワーク３００よりも高速または同じ速度で通信可能である場合に（ステップＳ１０４のＮ）、公衆電話通信ネットワーク４００を介してスイッチデータを通信装置２００に送信すると決定する（ステップＳ１０６）。なお、通信速度情報によって示されているパケット通信ネットワーク３００を介した通信速度を示す値と、公衆電話通信ネットワーク４００を介した通信速度を示す値とが同じである場合に、コントローラ１３０は、パケット通信ネットワーク３００を介してスイッチデータを通信装置２００に送信すると決定するように構成されていてもよい。
【００３７】
コントローラ１２０は、ステップＳ１０５またはＳ１０６の決定結果に応じた通信経路で、スイッチデータを通信装置２００に送信する（ステップＳ１０７）。
【００３８】
図３は、本発明の第１の実施形態の音声信号送受信システムにおける通信装置２００がスイッチデータを受信した場合の動作を示すフローチャートである。
【００３９】
通信装置２００において、デコーダ２４０は、受信したデータを復号し、復号後の情報がスイッチ情報であった場合に（ステップＳ２０１のＹ）、当該スイッチ情報に応じた指示を表示ユニット２０２に送信する。具体的には、例えば、スイッチ情報によってスイッチ１５０がオン状態であることが示されている場合に（ステップＳ２０２のＹ）、デコーダ２４０は、表示ユニット２０２にオン状態に応じて動作する指示を送信する（ステップＳ２０３）。より具体的には、例えば、表示ユニット２０２がランプである場合に、デコーダ２４０は、ステップＳ２０３の処理で、表示ユニット２０２に点灯の指示を送信する。また、例えば、表示ユニット２０２がディスプレイである場合に、デコーダ２４０は、ステップＳ２０３の処理で、スイッチ１５０がオン状態であることを示す画面を表示ユニット２０２に表示させる指示を送信する。
【００４０】
すると、表示ユニット２０２によって、マイクロフォン２０１に音声を入力する話者に、スイッチ１５０がオン状態であることを通知することができる。
【００４１】
また、スイッチ情報によってスイッチ１５０がオフ状態であることが示されている場合に（ステップＳ２０２のＮ）、デコーダ２４０は、表示ユニット２０２にオフ状態に応じて動作する指示を送信する（ステップＳ２０４）。より具体的には、例えば、表示ユニット２０２がランプである場合に、デコーダ２４０は、ステップＳ２０４の処理で、表示ユニット２０２に消灯の指示を送信する。また、例えば、表示ユニット２０２がディスプレイである場合に、デコーダ２４０は、ステップＳ２０４の処理で、スイッチ１５０がオフ状態であることを示す画面を表示ユニット２０２に表示させる指示を送信する。
【００４２】
すると、表示ユニット２０２によって、マイクロフォン２０１に音声を入力する話者に、スイッチ１５０がオフ状態であることを通知することができる。
【００４３】
なお、図２を例示して通信装置１００が通信装置２００にスイッチデータを送信する場合について説明したが、通信装置２００における各要素は、図２に示すフローチャートを例に説明した通信装置１００において対応する各要素の動作とそれぞれ同様に動作する。具体的には、通信装置２００は、例えば、メモリ２６０に記憶されている通信速度情報に基づいて、通信ネットワーク３００，４００のいずれかを介してスイッチデータを通信装置１００に送信する。
【００４４】
また、図３を例示して通信装置２００がスイッチデータを受信した場合の動作について説明したが、通信装置１００における各要素は、図３に示すフローチャートを例に説明した通信装置２００において対応する各要素の動作とそれぞれ同様に動作する。具体的には、通信装置１００は、例えば、スイッチ情報に基づいて、表示ユニット１０２に指示を送信する。すると、表示ユニット１０２によって、マイクロフォン１０１に音声を入力する話者に、スイッチ２５０がオン状態であること、またはオフ状態であることを通知することができる。
【００４５】
本実施形態によれば、通信装置１００，２００のコントローラ１２０，２２０が、通信ネットワーク３００，４００のうち、より通信速度が速い方を介して、スイッチ１５０，２５０がオン状態であるか否かに応じたスイッチデータを通信装置２００，１００に送信する。送信されたスイッチデータを受信した通信装置２００，１００は、デコーダ２４０，１４０が、スイッチデータを復号したスイッチ情報に応じた指示を表示ユニット２０２，１０２に送信する。
【００４６】
したがって、通信装置１００は、音声データの通信相手である通信装置２００に接続されたマイクロフォン２０１に音声を入力する話者に、マイクロフォン１０１が接続されたスイッチ１５０がオン状態であるか否かを迅速に通知することができる。また、通信装置２００は、音声データの通信相手である通信装置１００に接続されたマイクロフォン１０１に音声を入力する話者に、マイクロフォン２０１が接続されたスイッチ２５０がオン状態であるか否かを迅速に通知することができる。
【００４７】
よって、一方の通信装置１００，２００に音声を入力する一方の話者に、他方の通信装置２００，１００に音声を入力する他方の話者が発言を開始するタイミングを事前に認識させることができる。
【００４８】
したがって、一方の通信装置１００，２００に音声を入力する一方の話者と他方の通信装置２００，１００に音声を入力する他方の話者とが円滑に会話をすることができる。
【００４９】
また、一方の通信装置１００，２００に音声を入力する一方の話者がスイッチ１５０，２５０をオフ状態からオン状態に遷移させたり、オン状態からオフ状態に遷移させたりすることによって、他方の通信装置２００，１００に音声を入力する他方の話者に発言の意思の有無を伝達することができる。
【００５０】
したがって、人手を介することなく、一方の通信装置１００，２００に音声を入力する一方の話者と、他方の通信装置２００，１００に音声を入力する他方の話者との意思疎通を図ることができる。
【００５１】
以上に述べた実施形態における音声信号送受信システムは、好適には、通信装置１００が放送局に設置され、通信装置２００が放送局外で使用される。そのような場合には、放送スタジオにいる番組出演者と、放送局外の中継場所にいる番組出演者との会話を円滑にすることができる。
【００５２】
また、以上に述べた実施形態における音声信号送受信システムはテレビジョン会議システムにも適用され得る。具体的には、例えば、通信装置１００が一方の事業所で使用され、通信装置２００が他方の事業所で使用される。そのような場合には、一方の事業所の話者と、他方の事業所の話者との会話を円滑にすることができる。
【００５３】
なお、コントローラ１２０，２２０は、通信相手の通信装置２００，１００との間の通信速度を、パケット通信ネットワーク３００を介した場合と公衆電話通信ネットワークを介した場合とについて、所定の時間間隔で定期的に測定してもよいし、音声信号送受信システム管理者の指示に応じて測定してもよい。
【００５４】
また、本例では、スイッチ１５０，２５０は、マイクロフォン１０１，２０１から音声信号をエンコーダ１１０，２１０に入力するか否かの切り替えに用いられている。しかし、スイッチ１５０，２５０は、マイクロフォン１０１，２０１に電力を供給するか否かの切り替えに用いられてもよい。したがって、エンコーダ１２０，２２０は、スイッチ１５０，２５０の設定状態に基づいて、マイクロフォン１０１，２０１が動作状態であるか否かが検出可能であればよい。
【００５５】
本例では、通信装置１００と通信装置２００との間は、パケット通信ネットワーク３００と公衆電話通信ネットワーク４００との２つの通信経路で接続されている。しかし、通信装置１００と通信装置２００との間は、３つ以上の通信経路で接続されていてもよい。そして、コントローラ１２０，２２０は、最も通信速度が速い通信経路でスイッチデータを通信装置２００，１００に送信する。
【００５６】
実施形態２．
次に、本発明の第２の実施形態の通信装置１０について、図面を参照して説明する。図４は、本発明の第２の実施形態の通信装置１０の構成例を示すブロック図である。図４に示すように、本発明の第２の実施形態の通信装置１０は、通信速度測定部１２、状態遷移部１５、および情報送信部１６を含む。
【００５７】
通信装置１０は、図１に示す本発明の第１の実施形態における通信装置１００に相当する。通信速度測定部１２および情報送信部１６は、図１に示す本発明の第１の実施形態におけるコントローラ１２０に相当する。状態遷移部１５は、図１に示す本発明の第１の実施形態におけるスイッチ１５０に相当する。
【００５８】
通信速度測定部１２は、通信相手との通信速度を、複数の通信経路のそれぞれについて測定する。なお、通信相手は、図１に示す本発明の第１の実施形態における通信装置２００に相当する。また、複数の通信経路は、図１に示す本発明の第１の実施形態におけるパケット通信ネットワーク３００および公衆電話通信ネットワーク４００に相当する。
【００５９】
状態遷移部１５は、音声が入力される音声入力手段から音声に基づく音声情報が入力される状態と、音声情報が入力されない状態との間で遷移する。なお、音声入力手段は、図１に示す本発明の第１の実施形態におけるマイクロフォン１０１に相当する。
【００６０】
情報送信部１６は、通信速度測定部１２の測定結果に基づく通信経路で、通信相手に、状態遷移部１５の状態を示す状態情報を送信する。
【００６１】
本実施形態によれば、一方の通信装置に音声を入力する一方の話者と他方の通信装置に音声を入力する他方の話者とが円滑に会話をすることができる。
【符号の説明】
【００６２】
１０、１００、２００    通信装置
１２    通信速度測定部
１５    状態遷移部
１６    情報送信部
１０１、２０１    マイクロフォン
１０２、２０２    表示ユニット
１０３、２０３    スピーカ
１１０、２１０    エンコーダ
１２０、２２０    コントローラ
１３０、２３０    メモリ
１４０、２４０    デコーダ
１５０、２５０    スイッチ
【図１】
2016158215.tif 000003
【図２】
2016158215.tif 000004
【図３】
2016158215.tif 000005
【図４】
2016158215.tif 000006